(57)【要約】【課題】  簡単な構成で電子機器の調整検査を行う。【解決手段】  調整検査を行う調整用コンピュータ装置１と、被調整検査機器としての画像表示装置３との間で調整検査コマンドデータ及び調整検査結果を送受信する通信装置２とで構成し、複数の通信方式に対応する通信方式プログラム及び画像表示装置３に対応する通信方式プログラムを判別する通信方式判別プログラムとを格納してある半導体メモリ２４と、通信方式プログラム及び通信方式判別プログラムの実行及び通信制御を行うマイクロコンピュータ２１と、調整用コンピュータ装置１から調整検査コマンドデータを受信し、調整用コンピュータ装置１に調整検査結果を送信するＵＳＢ端子２２と、画像表示装置３に調整検査コマンドデータを送信し、画像表示装置３からの調整検査結果を受信する少なくとも２つ以上の通信方式にそれぞれ対応する少なくとも２つ以上のコネクタグループ２３とを備え、画像表示装置３の調整検査を行うようにした。【選択図】    図１
2007024774.tif 000002
【特許請求の範囲】
【請求項１】
所定の調整検査が行われる被調整検査機器と、データベースに格納した所定の通信方式及び調整検査データより前記被調整検査機器に対応する調整検査コマンドデータを編集し、前記調整検査コマンドデータを送信して前記被調整検査機器の調整検査を行う調整用コンピュータ装置との間で前記調整検査コマンドデータ及び調整検査結果を送受信する通信装置において、
複数の通信方式に対応する通信方式プログラム及び前記被調整検査機器に対応する前記通信方式プログラムを判別する通信方式判別プログラムとを格納してある記憶部と、
前記通信方式プログラム及び前記通信方式判別プログラムの実行及び通信制御を行う制御部と、
前記調整用コンピュータ装置から前記調整検査コマンドデータを受信し、前記調整用コンピュータ装置に前記調整検査結果を送信する第１の接続部と、
前記被調整検査機器に前記調整検査コマンドデータを送信し、前記被調整検査機器からの前記調整検査結果を受信する少なくとも２つ以上の通信方式にそれぞれ対応する少なくとも２つ以上の第２の接続部とを備えることを特徴とする
通信装置。
【請求項２】
請求項１記載の通信装置において、
前記通信方式プログラム及び前記第２の接続部は、増減又は置換可能であることを特徴とする
通信装置。
【発明の詳細な説明】
【技術分野】
【０００１】
本発明は、例えばテレビジョン受像機等の電子機器の調整検査工程において、調整用コンピュータ装置と被調整電子機器との間に設置し、調整検査データの通信を行う通信装置に関する。
【背景技術】
【０００２】
従来、例えばテレビジョン受像機のような電子機器に対して、その製造上の瑕疵を見つけるためには、所定の動作確認を行う必要があり、製造工程段階又は製品出荷前等において、各種の調整検査が実施される。このとき、例えば電子機器に内蔵した電気的に書き換え可能なＥＥＰＲＯＭ（Electrically Erasable Programmable Read-Only Memory）に対して、外部から各種調整検査データの書き込みを行うようにした調整検査工程がある。
【０００３】
この場合、調整検査データの送信、制御を行う調整用コンピュータ装置と、調整検査が行われる被調整電子機器とを相互通信可能な通信ケーブルや、所定の通信方式に対応するインタフェースを備えた通信装置等で接続して調整検査システムを構成する。検査担当者は、調整用コンピュータ装置を操作して、調整用コンピュータ装置から検査対象となる被調整電子機器に対して各種の調整検査データ、コマンド等を送信し、通信装置に供給する。通信装置は、調整用コンピュータ装置と被調整電子機器にそれぞれ対応したインタフェースを有しており、所定の通信方式にデータを変換後、被調整電子機器にデータを送出する。被調整電子機器はこれらの調整検査データ、コマンド等を受信して所定の処理、動作を行う。そして、被調整電子機器から得られた結果信号を調整用コンピュータ装置に送信し、調整用コンピュータ装置で分析して、被調整電子機器の処理が適正に行われているかどうかを検査していた。また、テレビジョン受像機や液晶ディスプレイ等の画像表示装置においては、画面にテスト画像や色パターン等を表示させることで、画面の輝度、色度ムラ等を検出し、補正データを調整用コンピュータ装置から送信して、画面の調整を行うようにしていた。
【０００４】
特許文献１には、テレビジョン受像機の画質調整検査技術についての記載がある。
【特許文献１】特開平９−１８８９９号公報（図１）
【発明の開示】
【発明が解決しようとする課題】
【０００５】
ところで、様々な種類の画像表示装置が提供されているため、種類毎に必要とされる通信仕様やコマンド、データのフォーマット等が被調整電子機器毎に異なることがある。このため、画像表示装置と通信を行うための通信装置は、調整検査対象となる被調整電子機器の通信仕様が異なる毎に、新たに作成して用いるようにしていた。さらに、以前使用していた通信装置を使用する為に、通信装置を保管しておく必要があり保管コストがかかっていた。
【０００６】
このように画像表示装置ごとに通信装置を作成すると、通信装置の種類が増えていくばかりか、保管しておくための手間も増えてしまうという問題があった。更に、生産現場、あるいは通信装置を使用して画像表示装置の修理を行うサービス現場等においては、画像表示装置と通信装置の組み合わせを管理しなければ適切に対応することができない。また、同じ通信方式を用いる電子機器であっても、コマンドやデータのフォーマットが複数存在することから、必要とされる通信方式、コマンド、データのフォーマット等を予め管理しておく必要がある。このような管理ができなければ、適切な調整検査データを作成する事が困難となるため、必要な調整検査を行うことができなくなってしまうという問題があった。
【０００７】
本発明はこのような状況に鑑みて成されたものであり、複数種類の通信方式に対応した被調整電子機器の調整検査を簡単な構成で行うことを目的とする。
【課題を解決するための手段】
【０００８】
本発明は、所定の調整検査が行われる被調整検査機器と、データベースに格納した所定の通信方式及び調整検査データより被調整検査機器に対応する調整検査コマンドデータを編集し、調整検査コマンドデータを送信して被調整検査機器の調整検査を行う調整用コンピュータ装置との間で調整検査コマンドデータ及び調整検査結果を送受信する場合に、複数の通信方式に対応する通信方式プログラム及び被調整検査機器に対応する通信方式プログラムを判別する通信方式判別プログラムとを格納してある記憶部と、通信方式プログラム及び通信方式判別プログラムの実行及び通信制御を行う制御部と、調整用コンピュータ装置から調整検査コマンドデータを受信し、調整用コンピュータ装置に調整検査結果を送信する第１の接続部と、被調整検査機器に調整検査コマンドデータを送信し、被調整検査機器からの調整検査結果を受信する少なくとも２つ以上の通信方式にそれぞれ対応する少なくとも２つ以上の第２の接続部とを備える。
【０００９】
このようにしたことで、被調整検査機器毎に対応する通信方式で調整検査の実施及び調整検査結果の取得が行えるようになった。
【発明の効果】
【００１０】
本発明によれば、複数の通信方式に対応する複数の接続部を備えた１台の通信装置を用いることで、被調整検査機器の種類ごとに調整検査の実施及び調整検査結果の取得が行えるため、複数の通信装置を用意する必要がないという効果がある。
【発明を実施するための最良の形態】
【００１１】
以下、本発明の一実施の形態を、添付図面を参照して説明する。本実施の形態では、画像表示装置としてテレビジョン受像機の製造工程の内、調整検査工程において、調整用コンピュータ装置から各種の調整検査データ、コマンドを、通信装置を介して画像表示装置に送信し、調整検査を行うシステムに適用した例としてある。
【００１２】
まず、本例のシステム構成例について説明する。図１は、本例のテレビジョン受像機の調整検査工程における各装置の接続例を示したブロック図である。調整担当者が調整データ、コマンド等の送信を行う調整用コンピュータ装置１と、複数の通信方式にそれぞれ対応した複数のコネクタを備えた通信装置２と、調整検査が行われる画像表示装置として液晶ディスプレイパネルを備えたテレビジョン受像機３とが所定の通信方式に準拠した通信ケーブルを用いて接続してあり、このような構成を調整検査システム１００としている。
【００１３】
調整用コンピュータ装置１には、大容量記録装置としてハードディスクドライブ１１が内蔵してありテレビジョン受像機３に対する調整検査結果、テストデータ、調整データ、パラメータ、調整検査用プログラム等が保存してある。また、ハードディスクドライブ１１には、調整検査を行う機種ごとに異なる通信仕様、コマンドの送受信フォーマットを管理する機種別通信仕様管理データベース１１ａが構成してあり、調整検査を行う画像表示装置３の種類に応じて適切な通信方式、調整データ、テストデータ、パラメータ等を供給する。半導体メモリ１２は、例えばＥＥＰＲＯＭ等で構成される書き換え可能な記憶媒体であり、ハードディスクドライブ１１から読み出した各種の調整検査用プログラムを格納する。操作者はキーボード等を備えた操作部１５より、調整用コンピュータ装置１に対して調整検査の実行操作を行う。調整検査用プログラムには、画像表示装置に対して特定の操作を行う際、必要となる全てのコマンド群を編集するコマンドデータ編集処理プログラム１２ａ、通信装置２と通信制御を行う通信プログラム１２ｂ、操作者からの操作コマンドを受け付け、解釈する操作コマンド受付プログラム１２ｃがあり、それぞれ実行される。ハードディスクドライブ１１と半導体メモリ１２は、調整用コンピュータ装置１内の内部バスで接続されている。
【００１４】
ＣＰＵ（Central Processing Unit）１３は、ハードディスクドライブ１１からのデータ読み出し／書き込み、機種別通信仕様管理データベース１１ａからのコマンド、パラメータ等の読み出し、調整検査用プログラムの実行等の制御、ＵＳＢ（Universal Serial Bus）方式の通信データの変換、通信装置２に対するデータ送受信の制御等の処理を行う。調整検査用データは、ＵＳＢ端子１４より、ＵＳＢ方式の通信ケーブルを介して通信装置２に供給される。
【００１５】
複数の通信仕様にそれぞれ対応する複数のコネクタを備えた通信装置２は、調整用コンピュータ装置１より、ＵＳＢケーブルで接続されたＵＳＢ端子１４とＵＳＢ端子２２を介してコマンド、パラメータ、調整データ等を送受信する。通信装置２は、電源端子２５より外部から直流電源の供給を受ける。また、複数の通信仕様に対応したコネクタ２３ａ〜２３ｄを設置してある。コネクタ２３ａ〜２３ｄは、例えば、通信速度の異なるＵＡＲＴ（ＲＳ−２３２Ｃ）、ＩＩＣ方式のコネクタとしている。なお、画像表示装置の種類によっては、オーディオケーブルを使用する場合があるため、オーディオケーブル用入出力端子２３ｅを用意してあり、コネクタ２３ａ〜２３ｄ及びオーディオ端子２３ｅをコネクタグループ２３としている。
【００１６】
そして、書き換え可能な半導体メモリ２４には、通信方式Ａ〜Ｄ用のプログラム２４ａ〜２４ｄが格納してある。プログラム等の実行制御を行うマイクロコンピュータ２１は、調整用コンピュータ装置１から供給されたデータフォーマットを解析し、要求される通信方式に応じた通信プログラムにデータを渡すための通信方式判別プログラム２４ｅで必要な調整検査データ、コマンドを判別し、画像表示装置３に送信する。
【００１７】
画像表示装置３は、所定の通信方式に準ずるコネクタ３１に対応して、コネクタグループ２３のいずれかのコネクタとケーブル接続し、調整検査コマンド、パラメータを受信する。また、コネクタ３１から接続したコネクタグループ２３のいずれかのコネクタに対して結果データを送信する。処理を制御するマイクロコンピュータ３２は、画像表示装置３内の処理を実行、制御したり、プログラム、パラメータ等を保存してある書き換え可能なＲＡＭ（Random Access Memory）３３、ＥＥＰＲＯＭ３４のメモリ管理を行ったりする。ＥＥＰＲＯＭ３４には各種テーブル（本例では、後述するテーブル１，２，３）、レジスタ等が格納されており、マイクロコンピュータ３２が稼動している時は、ＥＥＰＲＯＭ３４からデータが読み出されてＲＡＭ３３に置かれる。液晶パネルディスプレイを備えた表示部３５は、調整用コンピュータ装置１から供給される調整検査コマンド、データより、所定の色パターンの表示等の調整検査が行われる。
【００１８】
画像表示装置３の調整検査結果は、コネクタ３１より、通信装置２のコネクタグループ２３のいずれかのコネクタに送信される。そして、調整検査結果は、ＵＳＢフォーマットに変換され、ＵＳＢ端子２２より調整用コンピュータ装置１のＵＳＢ端子１４に送信される。調整用コンピュータ装置１のＣＰＵ１３では、調整検査結果を図示しないデータベースに保存する。操作者は、液晶ディスプレイパネルを供えた表示部１６に調整検査結果を表示させ、結果の合否判定を行う。なお、数値データの場合は、予め定めた閾値内を合格とし、閾値を超過した場合に不合格とするような自動判定処理を行うようにする。
【００１９】
次に、通信装置２の外部構成例を図２を参照して説明する。図２において、既に説明した図１に対応する部分には同一符号を付す。複数の通信方式にそれぞれ対応する複数のコネクタを備えた通信装置２を介して、調整用コンピュータ装置１は、画像表示装置３に各種のコマンド、データ、パラメータ等を送出する。本例の通信装置２は、直方体形状であり、通信装置２の側面にコネクタ、接続端子が設けてあり、所定の通信ケーブルと接続可能としてある。
【００２０】
通信装置２の側面には、ＵＳＢ端子２２と外部からの直流電源を入力する電源端子２５を設ける。調整用コンピュータ装置１のＵＳＢ端子１４とＵＳＢケーブルで接続することにより、画像表示装置３に対してコマンド、データの送受信を行う。そして、通信装置２の正面には、２種類のＩＩＣ通信用コネクタを設ける。コネクタ２３ａには、通常用いられるＩＩＣ通信用ケーブルを接続する。ここで、画像表示装置３の種類によっては、Ｓ端子を使用する場合があるので、コネクタ２３ｂは、Ｓ端子としてある。
【００２１】
また、通信装置２の正面には、通信速度の異なるＵＡＲＴ通信用コネクタを設ける。ＵＡＲＴ−Ａコネクタ２３ｃは、ＵＡＲＴ（ＲＳ−２３２Ｃ）を使用して画像表示装置３と通信を行う際に使用する。通信速度は複数種類を選択可能であり、例えば9,600bps又は38,400bpsで切り替え可能としている。但し、115,200bpsでの通信速度は保証しない。同様に、ＵＡＲＴ−Ｂコネクタ２３ｄも、ＵＡＲＴ（ＲＳ−２３２Ｃ）を使用して画像表示装置３と通信を行う際に使用する。通信速度は、例えば115,200bpsの固定とし、通信速度の切り換えは行わないようにする。また、画像表示装置１の種類によっては、オーディオケーブルを使用する場合があるため、オーディオケーブル用入出力端子２３ｅを設けている。
【００２２】
次に、通信仕様管理データベース１１ａに登録してあるデータベース１〜３の登録内容を図３を参照して説明する。図３（ａ）のデータベース１には、各種類の画像表示装置３に対して用いられる通信タイプ、コマンドデータタイプ、どのデータをアクセスするかの情報が格納してある。
【００２３】
画像表示装置３に対して、操作者が、データの書き込み（ＬＯＡＤ）を行う場合は、調整用コンピュータ装置１で、書き込み操作をオペレータが選択し、書き込みに必要な通信タイプ、コマンドデータ＝(コマンドデータタイプ＋操作を行うテーブルの種類)が通信装置２に対して送られる。
【００２４】
データベース１には、画像表示装置３の種類ごとに名称を規定する「画像表示装置名」フィールド、画像表示装置毎の通信方式を規定する「通信タイプ」フィールド、テーブル又はレジスタ毎にデータの書き込み（ＬＯＡＤ）／読み出し（ＳＡＶＥ）に対応する送受信フォーマットを規定する「コマンドデータタイプ」フィールド、データの書き込み（ＬＯＡＤ）／読み出し（ＳＡＶＥ）を行うテーブルを規定する「ＬＯＡＤ／ＳＡＶＥ」フィールド、色調整を行う際に使用するレジスタを規定する「色調整」フィールドで構成してある。なお、「色調整」フィールドのレジスタを全て、「レジスタ１」としてあるが、画像表示装置の種類によっては、そのレジスタ値は異なる場合がある。このデータベース１により、異なる種類の画像表示装置に対して適切な通信方式を用いてテーブル又はレジスタに対してデータの書き込み、読み出しを行うことが可能となる。
【００２５】
なお、テーブルとは、データが表形式で複数格納されている領域であり、テーブルに格納されているデータ全てを一括してアクセス可能である。一方、レジスタとは、データが一つだけ格納されている領域であり、レジスタに格納されているデータは一つずつアクセス可能である。
【００２６】
図３（ｂ）のデータベース２には、通信タイプ毎に通信方式、通信速度を格納されている。データベース２は、通信タイプＡ〜Ｆを規定する「通信タイプ」フィールド、ＵＡＲＴ又はＩＩＣの通信方式を規定する「通信方式」フィールド、通信速度を規定する「通信速度」フィールドで構成してある。データベース２の「通信タイプ」フィールドは、データベース１の「通信タイプ」フィールドに従属している。
【００２７】
図３（ｃ）のデータベース３には、コマンドデータタイプ毎に機能及び送受信コマンド別のデータフォーマットが格納されている。データベース３は、コマンドデータタイプＴ１〜Ｔ３を規定する「コマンドデータタイプ」フィールド、テーブル又はレジスタに対してそれぞれ書き込み／読み出しを規定する「機能」フィールド、テーブル又はレジスタに対する送信データのフォーマットを規定する「送信フォーマット」フィールド、テーブル又はレジスタに対する受信データのフォーマットを規定する「受信フォーマット」フィールドから構成してある。データベース３の「コマンドデータタイプ」フィールドは、データベース１の「コマンドデータタイプ」フィールドに従属している。なお、上述したコマンドデータ編集処理プログラム１２ａは、データベース３の送受信フォーマットに示したようなコマンド種類全てを登録するために使用する編集プログラムである。
【００２８】
通信装置２は、コマンドタイプを登録する機能、通信方式を登録する機能、コマンドタイプ、通信方式を組み合わせて、画像表示装置別の操作内容を登録する機能を有する。そして、画像表示装置別の操作内容とは、例えば、画像表示装置３が「ＡＡＡ−１」の時は、テーブル１，２，３に対してアクセスするにはコマンドデータタイプＴ１を使用し、通信タイプＡ（本例では、ＵＡＲＴ）を使用する。一方、画像表示装置３が「ＡＡＡ−２」の時は、テーブル１に対してアクセスするにはデータタイプＴ２を使用し、通信タイプＡを使用する、といった処理を意味する。
【００２９】
次に、調整用コンピュータ装置１と通信装置２の間における通信時のデータフォーマットの例を図４を参照して説明する。
【００３０】
通信時のデータフォーマットは、通信タイプＡ〜Ｆのいずれかを格納する「通信タイプ」フィールド、コマンドデータ編集処理プログラム１２ａで編集されたコマンドを格納する「コマンドデータ」フィールド、通信データの終端を示す「ＥＮＤマーク」フィールドから構成してある。データフォーマットは、例えば、ＣＳＶ（Comma Separated Value）型の文字列データであり、「コマンドデータ」フィールドは、可変長である。このため、図３（ｃ）のデータベース３で規定した送受信フォーマットに基づくコマンドデータを、レコード単位で過不足なく格納することが可能である。データ中の各フィールドは、例えば、デリミッタ“，：カンマ”により識別される。
【００３１】
次に、調整用コンピュータ装置１の画像表示装置３に対する調整検査の処理例について図５を参照して説明する。図５は、調整用コンピュータ装置１の操作手順及び処理手順を示すフローチャートである。
【００３２】
まず、操作者は調整用コンピュータ装置１を操作して、データベース１１ａより、操作対象となる画像表示装置３を選択する（ステップＳＴ１）。そして、各データベースより選択された画像表示装置３のデータを取得する（ステップＳＴ２）。その後、操作者は実行したい操作(テーブル又はレジスタに対するデータの読出し／書込み等)を選択する（ステップＳＴ３）。
【００３３】
ステップＳＴ３で選択された操作機能の判別を行う（ステップＳＴ４）。そして、操作別コマンドを判断し、コマンドを生成する。このとき、テーブル読み出しコマンドの生成（ステップＳＴ５）、テーブル書き込みコマンドの生成（ステップＳＴ６）、レジスタ読み出しコマンドの生成（ステップＳＴ７）、レジスタ書き込みコマンドの生成（ステップＳＴ８）を、それぞれ選択された操作に応じて行う。
【００３４】
調整用コンピュータ装置１は、コマンドデータ編集処理プログラム１２ａにより編集したコマンドデータを、図４に示したデータフォーマットで通信装置２に送信する（ステップＳＴ９）。その後、通信装置２からのコマンド受信完了メッセージが戻るまで、コマンド送信の完了を待つ（ステップＳＴ１０）。コマンド送信の完了確認後は、画像表示装置３に送信されたコマンドによる実行完了メッセージが戻るまで、実行完了を待つ（ステップＳＴ１１）。そして、画像表示装置３でのコマンドの実行結果と実行完了メッセージを通信装置２より受信して、結果を調整用コンピュータ装置１の表示部１６に表示する（ステップＳＴ１２）。
【００３５】
次に、調整用コンピュータ装置１からコマンドデータを受信し、画像表示装置３に送信する通信装置２の処理例について図６を参照して説明する。図６は通信装置２の処理手順を示すフローチャートである。
【００３６】
まず、調整用コンピュータ装置１からのコマンド受信を待つ（ステップＳＴ２１）。そして、コンピュータ装置１から受信したコマンドを解析し、調整検査を行う画像表示装置３に対応した通信タイプを選択する（ステップＳＴ２２）。通信タイプＡによる送信（ステップＳＴ２３）、通信タイプＢによる送信（ステップＳＴ２４）、通信タイプＣによる送信（ステップＳＴ２５）、通信タイプＤによる送信（ステップＳＴ２６）のいずれかに分岐して、受信したコマンドをそれぞれの通信タイプに合わせて変換し、画像表示装置３に送信する。
【００３７】
そして、通信装置２は、画像表示装置３からの処理結果を待つ（ステップＳＴ２７）。通信装置２は、画像表示装置３からの処理結果を受信後、調整用コンピュータ装置１に対して画像表示装置３の処理結果を送信する（ステップＳＴ２８）。
【００３８】
次に、ユーザが調整検査を行う場合に用いる調整用コンピュータ装置１の操作例を図７を参照して説明する。図７は、画像表示装置３の調整検査を行う際に用いられるユーザインタフェースとなる調整用コンピュータ装置１の操作画面の例である。
【００３９】
図７（ａ）は、画像表示装置３の選択画面例である。操作者は、調整対象である画像表示装置３をこの画面より選択可能である。図７（ａ）の選択画面では、画像表示装置３の種類を規定する「画像表示装置名称」フィールド３１、コマンドタイプを規定する「コマンドタイプ」フィールド３２を表示してある。ユーザは調整検査を行う画像表示装置３の種類を選択することで、通信装置２は選択された画像表示装置３に対して適切な通信方式を選択し、調整検査を行うための通信が可能となる。
【００４０】
図７（ｂ）は、通信方式の登録画面例である。ユーザは、通信方式の追加、変更、削除を指定する編集ボタン３６を用いて必要となる通信方式を編集できる。決定ボタン３５は、ユーザが行った通信方式の編集処理に対して、「ＯＫ」又は「キャンセル」を指定する。そして、例えば「ECS(9600)」は、ECSコマンドにて9,600bps通信を行う、また、「ECS2(9600)」は、ECS2コマンドにて9,600bps通信を行うことを意味する。操作者は、これらのタイトルを指定して、実際の通信の種類、通信速度等のデータ設定を行う。
【００４１】
このように、複数種類の通信方式に対応した通信装置を用いて、複数種類の電子機器に対する調整検査を行うことが可能となった。
【００４２】
以上説明した本実施の形態によると、複数種類の通信方式に対応した１台の通信装置に画像表示装置を接続し、調整検査を行うようにしたことで、いくつもの通信装置を管理したり、画像表示装置に合わせて通信装置を選択し、取り替える必要が無くなり、作業の効率向上を図ることが可能となるという効果がある。
【００４３】
また、データ作成機能を使用する事により、通信仕様別に異なる複数の操作コマンドを一つにまとめる事でデータ管理を容易にする事が出来る。この場合、テーブル１，２，３の３個のテーブルに対して、連続してアクセスすることが可能となる。つまり、登録されているコマンドの数だけ連続操作することが可能となるという効果がある。
【００４４】
また、調整検査対象となる画像表示装置３毎に調整データや調整内容を１つの調整治具で対応しているばかりでなく通信プロトコルや通信速度が異なる画像表示装置に対しても既存の通信装置２で対応できるという効果がある。
【００４５】
なお、上述した実施の形態では、調整用コンピュータ装置１と通信装置２との間をＵＳＢケーブルで接続するようにしたが、その他の規格に基づくケーブルで接続するようにしてもよい。同様に、通信装置２で備えてあるコネクタ、及び図３（ｂ）のデータベース２には、ＵＡＲＴ（ＲＳ−２３２Ｃ）及びＩＩＣ規格を通信方式としたが、その他の通信規格に基づくコネクタ及び通信方式を随時追加、又は入れ換えるようにしてもよい。また、上述した実施の形態における通信装置２で、それぞれの通信方式に対応した通信速度を設定したが、使用状況に応じて様々に通信速度を設定、切り換えられるようにしてもよい。あるいは、調整用コンピュータ装置１、通信装置２、画像表示装置３との間を無線通信により接続して、画像表示装置３を調整検査するようにしてもよい。この場合、ケーブル配線の取り回しを行う手間がなくなり、迅速に調整検査を行えるという効果がある。
【００４６】
また、上述した実施の形態では、調整用コンピュータ装置１と通信装置２とは、ＵＳＢケーブルで接続してあるため、通信方式プログラム２４ａ〜２４ｄ、通信方式判別プログラム２４ｅを、随時バージョンアップ、又は置換、又は追加するようにしてもよい。こうすることで、常に検査対象となる画像表示装置に対応したプログラムを用意することが可能である。また、コネクタ２３ａ〜２３ｄ及びオーディオ端子２３ｅを用いて複数の通信方式に対応するようにしたが、使用状況に応じてコネクタ及び端子の数を増減又は置換するようにしてもよい。
【００４７】
また、上述した実施の形態では、調整用コンピュータ装置１と画像表示装置３とを通信装置２を介して１対１で接続したが、調整用コンピュータ装置１と通信装置２の間に、例えばハブのような複数のコネクタを備えた接続機器を設けることで、１台の調整用コンピュータ装置１で複数台の画像表示装置３の調整検査を行うようにしてもよい。
【００４８】
また、上述した実施の形態では、調整検査を行う電子機器を画像表示装置としたが、その他の電子機器に対する調整検査に適用しても同様の効果が得られる。
【００４９】
また、上述した実施の形態では、通信装置２は電源端子２５より外部電源の供給を受けるようにしたが、ＵＳＢケーブルで接続したＵＳＢ端子１４，２２を介して調整用コンピュータ装置１から電源の供給を受けるようにしてもよい。
【図面の簡単な説明】
【００５０】
【図１】本発明の一実施の形態における調整検査システムの構成例を示したブロック図である。
【図２】本発明の一実施の形態における通信装置の外部構成例を示した斜視図である。
【図３】本発明の一実施の形態におけるデータベースの構成例を示した説明図である。
【図４】本発明の一実施の形態における調整用コンピュータ装置と通信装置間のデータフォーマットの例を示した説明図である。
【図５】本発明の一実施の形態における調整用コンピュータ装置のコマンド処理例を示したフローチャートである。
【図６】本発明の一実施の形態における通信装置のコマンド処理例を示したフローチャートである。
【図７】本発明の一実施の形態における調整用コンピュータ装置の操作画面例を示した説明図である。
【符号の説明】
【００５１】
１…調整用コンピュータ装置、１１…ハードディスクドライブ、１１ａ…データベース、１２…半導体メモリ、１２ａ〜１２ｃ…プログラム、１３…ＣＰＵ、１４…外部インタフェース、１５…操作部、１６…表示部、２…通信装置、２１…マイクロコンピュータ、２２…コネクタ、２３…コネクタグループ、２３ａ〜２３ｅ…コネクタ、２４…半導体メモリ、２４ａ〜２４ｅ…プログラム、２５…電源端子、３…画像表示装置、３１…コネクタ、３２…ＣＰＵ、３３…ＲＡＭ、３４…ＥＥＰＲＯＭ、３５…表示部、１００…調整検査システム
【図１】
2007024774.tif 000003
【図２】
2007024774.tif 000004
【図３】
2007024774.tif 000005
【図４】
2007024774.tif 000006
【図５】
2007024774.tif 000007
【図６】
2007024774.tif 000008
【図７】
2007024774.tif 000009